【手続補正書】
【提出日】平成17年7月22日(2005.7.22)
【手続補正１】
【補正対象書類名】明細書
【補正対象項目名】全文
【補正方法】変更
【補正の内容】
【書類名】      明細書
【発明の名称】  換気システム及び換気方法
【特許請求の範囲】
【請求項１】  換気対象域の内部空気を換気するための換気扇と、該内部空気を前記換気対象域内で流動させるための送風機と、外気湿度を検出するための外気湿度検出センサ及び内部湿度を検出するための内部湿度検出センサと、運転する時間帯を設定するとともに、前記外気湿度検出センサの検出した外気湿度と前記内部湿度センサの検出した内部湿度に基づいて運転モードを決定し、該運転モードに従って前記換気扇と前記送風機を同時または選択的に駆動するシステム管理部とを備えた換気システムであって、
前記内部湿度が前記外気湿度との比較において所定の基準値以上高い場合には、前記システム管理部が換気モードとして前記換気扇と前記送風機を共に駆動し、前記内部湿度が前記外気湿度との比較において該基準値より低い場合には、前記システム管理部がよどみ防止モードとして前記送風機を駆動することを特徴とする換気システム。
【請求項２】  前記送風機が、換気対象域の内部に設けられて内部空気を攪拌する攪拌送風機、または換気対象域の開放部分のない周辺に設けられ内部空気を拡散する拡散送風機、または前記攪拌送風機及び前記拡散送風機のいずれかであること特徴とする請求項１記載の換気システム。
【請求項３】  前記換気扇と前記送風機を運転モードに従って駆動させることができる駆動制御部を備え、前記システム管理部が該駆動制御部に運転モードを指令することを特徴とする請求項１または２に記載の換気システム。
【請求項４】  前記駆動制御部が、運転モードに従って前記換気扇及び前記送風機、または該送風機のみを電源に接続する選択部を備えたことを特徴とする請求項１〜３のいずれかに記載の換気システム。
【請求項５】  前記システム管理部と前記駆動制御部にはそれぞれ送受信部が設けられ、前記システム管理部が無線により該送受信部を介して前記駆動制御部に指令を与えることができる請求項１〜４のいずれかに記載の換気システム。
【請求項６】  前記駆動制御部には前記外気湿度検出センサと前記内部湿度検出センサが接続され、前記システム管理部に無線でそれぞれの検出データが送信されることを特徴とする請求項１〜５のいずれかに記載の換気システム。
【請求項７】  前記システム管理部には、運転する時間帯を設定するための入力部と、外気湿度と内部湿度を表示できる表示部が設けられたことを特徴とする請求項１〜６のいずれかに記載の換気システム。
【請求項８】  外気湿度を検出して換気対象域の内部湿度と比較し、前記外部湿度が前記内部湿度より低い場合は換気扇を運転して前記内部空気の換気を行い、前記内部湿度より高い場合は前記換気扇の運転をせずに、前記内部空気を前記換気対象域内で流動させるための送風機だけを駆動することを特徴とする換気方法。
【請求項９】  外気湿度を検出して換気対象域で換気を行う基準湿度と比較し、前記外部湿度が前記基準湿度より低い場合は換気扇を運転して前記内部空気の換気を行い、前記基準湿度より高い場合は前記換気扇の運転をせずに、前記内部空気を前記換気対象域内で流動させるための送風機だけを駆動することを特徴とする換気方法。
【発明の詳細な説明】
【０００１】
【発明の属する技術分野】
本発明は、家屋の床下や倉庫等で外部に換気する換気扇と、この域内の内部空気を内部的に流動させる送風機を備えた換気システム、とくに換気モードとよどみ防止モードで最適な運転が行える換気システム、及びその換気方法に関する。
【０００２】
【従来の技術】
従来、床下や倉庫等の対象換気域内の湿度管理を行う換気システムは、床下や倉庫等に設置した湿度センサで内部湿度を測定し、これを予め設定した湿度とを比較して、湿度の高い空気を外部に排出するため換気扇を運転している。
【０００３】
そこで、従来の床下の換気システムについて説明する。図４（ａ）は従来の床下換気システムの側面図、図４（ｂ）は（ａ）の床下換気システムの平面図である。図４（ａ）において、１は換気システムの管理を行うためのタイマーコントローラユニット、２は換気扇に給電して制御する駆動制御部、３は湿度センサや温度センサを設けたセンサユニット、４は床下換気扇、５はセンサ３からの検出信号を符号化して駆動制御部２経由でタイマーコントローラユニット１に送り、タイマーコントローラユニット１からの指令を駆動制御部２に伝える通信ケーブルである。６は駆動制御部２に供給するＡＣ１００Ｖの電源コンセント、７は換気口である。
【０００４】
タイマーコントローラユニット1は、床下換気扇４を運転制御する時間帯を予め設定することができるようになっている。タイマーコントローラユニット１には予め基準となる湿度が設定されており、検出した湿度とこれを比較し、床下で検出した湿度が高い場合、複数の床下換気扇４を同時に運転するため運転指令が通信ケーブル５を介して駆動制御部２に送られる。駆動制御部２は床下換気扇４のモータを駆動するため電源リレースイッチを動作させる。図４（ｂ）に示すように、換気口７から流入した空気は複数の床下換気扇４を通して床下内の湿度の高い空気は排出される。
【０００５】
図５は従来の床下換気扇の構成図である。図５において、１１は床下換気扇４の本体ケーシング、１２は本体ケーシング１１内部に設けられたプラスチック製のファン、１３はモータ本体、１４はモータのロータ、１５はロータ１４に圧入されたシャフトである。１６はシャフト１５を支持するベアリング、１７はモータ本体１３と反対側に設けられたプラスチック製軸受であり、ロータ１４はこのベアリング１６により支持され、ファン１２はプラスチック製軸受１７に支持されている。ファン１２とプラスチック製軸受１７は絶縁を徹底するためプラスチックが採用されている。
【０００６】
１８はアース設置用のアース線、１９は電源用リード線、２０はモータ本体１３内部のステータ、２１はステータ２０に巻回されたコイルである。２２は床下換気扇４の吸込口、２３は床下換気扇４の吹出口である。電源用リード線１９から電圧が印加されると、モータ本体１３内部のコイル２１に電流が流れ、ロータ１４が回転を開始する。これと同時にシャフト１５に固定されたファン１２も回転を始め、ファン１２が回転することで風を起こし、吸込口２２から空気を吸入し、吹出口２３から空気を排出させることができる。床下換気扇４は家屋の大きさ、構造により必要に応じて複数個設置され同時に並列運転される。
【０００７】
【発明が解決しようとする課題】
しかしながら上述した従来の換気システムでは、単に床下湿度と基準の湿度を比較して排出するものである。従って、外気湿度を床下湿度から引いた湿度差が予め設定した基準の湿度より高い場合は、高湿度の床下空気を外部に排出することになり目的に適い問題ないが、この予め設定した基準の湿度より低い場合は外気によって床下の湿度を逆に高めることになってしまうものであった。このような場合にそのまま放置するのでは、換気動作を行わない状態で、長時間に渡って床下のよどんだ空気が高温多湿の状態で滞留し、床下設備を損なうという問題があった。
【０００８】
また従来の換気システムは、タイマーコントローラユニット１ですべての換気扇を一元的に時間管理している。外気湿度と床下湿度との関係を考慮することはないし、時間動作から離れて換気扇の運転を停止するだけであった。例えば特開２０００−１７９９０３には、換気ファンの設置された非居住部にセンサ部を設けて、タイマ部の動作に関係なく、換気ファンを停止する換気ファン用タイマが開示されている。しかし、これは外気湿度と床下湿度の状況にあった細かな換気動作の制御を行うものではない。
【０００９】
さらに、従来の換気システムを床下や倉庫等に設置する場合、タイマーコントローラユニット１と駆動制御部２は多線の専用の通信ケーブル５が必要で、設置工事が煩雑となり、こうしたことが制約となってタイマーコントローラユニット１の設置場所が限定されていた。
【００１０】
そこで本発明は、内部と外気の湿度に応じて換気とよどみ防止の運転を行うことができる換気システムと、内部と外気の湿度に応じて換気運転をすることができる換気方法を提供することを目的とする。
【００１１】
【課題を解決するための手段】
上記問題を解決するため本発明の換気システムは、外気湿度検出センサの検出した外気湿度と内部湿度センサの検出した内部湿度に基づいて運転モードを決定し、該運転モードに従って換気扇と送風機を同時または選択的に駆動するシステム管理部とを備え、内部湿度が外気湿度との比較において所定の基準値以上高い場合には、システム管理部が換気モードとして換気扇と送風機を共に駆動し、内部湿度が外気湿度との比較において該基準値より低い場合には、システム管理部がよどみ防止モードとして送風機を駆動することを特徴とする。
【００１２】
これにより、内部と外気の湿度に応じて換気とよどみ防止の運転を行うことができ、設置工事が容易な換気システムにすることができる。
【００１３】
【発明の実施の形態】
本発明の請求項１に記載の発明は、換気対象域の内部空気を換気するための換気扇と、該内部空気を換気対象域内で流動させるための送風機と、外気湿度を検出するための外気湿度検出センサ及び内部湿度を検出するための内部湿度検出センサと、運転する時間帯を設定するとともに、外気湿度検出センサの検出した外気湿度と内部湿度センサの検出した内部湿度に基づいて運転モードを決定し、該運転モードに従って換気扇と送風機を同時または選択的に駆動するシステム管理部とを備えた換気システムであって、内部湿度が外気湿度との比較において所定の基準値以上高い場合には、システム管理部が換気モードとして換気扇と送風機を共に駆動し、内部湿度が外気湿度との比較において該基準値より低い場合には、システム管理部がよどみ防止モードとして送風機を駆動することを特徴とする換気システムであり、内部湿度が外気湿度より基準値以上高い場合には換気扇と送風機を共に駆動して内部空気を攪拌排出し、内部湿度が外気湿度と比較して基準値より低い場合には送風機を駆動してよどみ防止の運転を行うことができ、換気対象域を多湿状態にすることはない。システム管理部で時間帯の設定を行ったり運転モードを決定したりするため、換気扇と送風機の制御が容易で設置工事も楽になる。
【００１４】
本発明の請求項２に記載の発明は、送風機が、換気対象域の内部に設けられて内部空気を攪拌する攪拌送風機、または換気対象域の開放部分のない周辺に設けられ内部空気を拡散する拡散送風機、または攪拌送風機及び拡散送風機のいずれかであること特徴とする請求項１記載の換気システムであり、中央に置かれた攪拌送風機を選択した場合には、換気対象域内の空気を全方向に流動させることができ、よどみを残さず攪拌できる。開放部分のない周辺に置かれた拡散送風機を選択した場合には、開放部分のない周辺から内部へ向けて空気を吐き出して拡散するため、換気対象域内に大きな流動を起こし、この開放部分のない周辺にも循環流が流れ込み、よどみを解消できる。攪拌送風機と拡散送風機の双方を選択したときは、換気対象域内の空気を全体的に大きく流動させることができ、よどみを残さず攪拌できる。床下の換気口の位置、換気扇の配置、間切りの状況に応じて最もよどみを解消できる流動を選択することができる。
【００１５】
本発明の請求項３に記載の発明は、換気扇と送風機を運転モードに従って駆動させることができる駆動制御部を備え、システム管理部が該駆動制御部に運転モードを指令することを特徴とする請求項１または２に記載の換気システムであり、システム管理部では運転モードの管理だけを行い、駆動制御部が換気扇と送風機の駆動を具体的に制御することができ、システム管理部で遠隔操作できる。
【００１６】
本発明の請求項４に記載の発明は、駆動制御部が、運転モードに従って換気扇及び送風機、または該送風機のみを電源に接続する選択部を備えたことを特徴とする請求項１〜３のいずれかに記載の換気システムであり、選択部を切り替えることで換気扇と送風機の駆動がそれぞれ簡単に行える。
【００１７】
本発明の請求項５に記載の発明は、システム管理部と駆動制御部にはそれぞれ送受信部が設けられ、システム管理部が無線により該送受信部を介して駆動制御部に指令を与えることができる請求項１〜４のいずれかに記載の換気システムであり、通信ケーブルが不必要なため設置工事が容易であり、通信ケーブルを設置する場合より設置場所に対する制約が少ない。断線も起こらず、システムの増設も容易である。
【００１８】
本発明の請求項６に記載の発明は、駆動制御部には外気湿度検出センサと内部湿度検出センサが接続され、システム管理部に無線でそれぞれの検出データが送信されることを特徴とする請求項１〜５のいずれかに記載の換気システムであり、外気湿度検出センサと内部湿度検出センサがシステム管理部に通信ケーブルで接続されないから、検出データを通信ケーブルによらず取得して管理でき、しかもシステム管理部がコンパクトになる。
【００１９】
本発明の請求項７に記載の発明は、システム管理部には、運転する時間帯を設定するための入力部と、外気湿度と内部湿度を表示できる表示部が設けられたことを特徴とする請求項１〜６のいずれかに記載の換気システムであり、表示部に検出データの外気湿度と内部湿度を表示して目視による監視と、時間帯の入力も容易になる。
【００２０】
本発明の請求項８に記載の発明は、外気湿度を検出して換気対象域の内部湿度と比較し、外部湿度が内部湿度より低い場合は換気扇を運転して内部空気の換気を行い、内部湿度より高い場合は換気扇の運転をせずに、内部空気を換気対象域内で流動させるための送風機だけを駆動することを特徴とする換気方法であり、内部と外気の湿度に応じて換気運転することができる。
【００２１】
本発明の請求項９に記載の発明は、外気湿度を検出して換気対象域で換気を行う基準湿度と比較し、外部湿度が基準湿度より低い場合は換気扇を運転して内部空気の換気を行い、基準湿度より高い場合は換気扇の運転をせずに、内部空気を換気対象域内で流動させるための送風機だけを駆動することを特徴とする換気方法であり、内部と外気の湿度に応じて換気運転することができる。
【００２２】
（実施の形態１）
以下、本発明の実施の形態１における換気システム及び換気方法について説明する。実施の形態１は換気対象域が床下の場合である。図１（ａ）は本発明の実施の形態１における換気システムの側面図、図１（ｂ）は（ａ）の床下換気システムの平面図、図２は本発明の実施の形態１における換気システムの制御構成図、図３は本発明の実施の形態１における換気システムの運転状態説明図である。実施の形態１の換気システムと従来の換気システムの説明で使用した同一符号のものは、同一内容を示すものであるため詳細な説明は省略する。
【００２３】
図1において、１は換気システムを運転する時間帯の設定を行うタイマーコントローラユニット（本発明のシステム管理部）、２は運転モードに従って後述の床下換気扇４ａ，攪拌送風機４ｂ及びまたは拡散送風機４ｃに給電して駆動するための駆動制御部、３ａは床下湿度を検出する床下湿度センサ（本発明の内部湿度センサ）、３ｂは外気湿度を検出する外気湿度センサセンサ（本発明の外気湿度センサ）、４ａは床下換気扇（本発明の換気扇）、４ｂは床下空気の流動を行う攪拌送風機、４ｃは床下空気の流動を行う拡散送風機である。この攪拌送風機４ｂ，拡散送風機４ｃが本発明の内部空気を流動させる送風機に相当し、攪拌送風機４ｂ，拡散送風機４ｃのどちらか、もしくは攪拌送風機４ｂ，拡散送風機４ｃ双方の送風機を、床下の換気状況に応じて選択する。そしてこの選択により攪拌送風機４ｂ，拡散送風機４ｃの一方だけを設置することもできるし、あるいは、両者を同時に設置して一方を選択して利用することもできるし、攪拌送風機４ｂ，拡散送風機４ｃの双方を同時に運転して利用することもできる。６はタイマーコントローラユニット１と駆動制御部２に給電するＡＣ１００Ｖの電源コンセント、７は換気口である。
【００２４】
床下湿度（本発明の内部湿度）を検出する床下湿度センサ３ａと、外気湿度を検出する外気湿度センサ３ｂで検出した湿度は、後述するように駆動制御部２で符号化され電波でタイマーコントローラユニット１に送信される。室内に設置されたタイマーコントローラユニット1ではこれを受信し、予め設定した基準値もしくは基準湿度との差と比較演算し、運転指令値を符号化して駆動制御部２に送信する。なお実施の形態１の運転モードは、後で詳述する換気モードと、よどみ防止モードの２つがあるが、駆動制御部２はこの運転モードに従って、攪拌送風機４ｂ，拡散送風機４ｃの一方または双方の送風機と床下換気扇４ａとを同時に、または攪拌送風機４ｂ，拡散送風機４ｃの一方または双方を選択的に運転する。
【００２５】
なお、攪拌送風機４ｂ，拡散送風機４ｃの一方の選択で、中央に置かれた攪拌送風機４ｂの方を選択した場合には、換気対象域内の空気を全方向に流動させることができ、よどみを残さず攪拌できる。開放部分のない周辺に置かれた拡散送風機４ｃを選択した場合には、開放部分のない周辺から内部へ向けて空気を吐き出して拡散するため、換気対象域内に大きな流動を起こし、この開放部分のない周辺にも循環流が流れ込み、よどみを解消できる。攪拌送風機と拡散送風機の双方を選択したときは、換気対象域内の空気を全体的に大きく流動させることができ、よどみを残さず攪拌できる。従って、床下の換気口の位置、換気扇の配置、間切りの状況に応じて最もよどみを解消できる流動を選択することができる。また、後述するように回転数や間欠運転の間隔で換気モードに強弱を付けることもできる。
【００２６】
次に、実施の形態１の換気システムの制御構成について説明する。図２において、３１はタイマーコントローラユニット１の制御部、３２は指定時間、基準値もしくは基準湿度を入力するための入力部、３３は外気湿度と内部の湿度を表示できる表示部、３４は駆動制御部２との間で制御データを送受信する無線シリアル送／受信部、３５は制御部３１を動作させるためのレギュレータ、３６はバックアップ電池である。制御部３１は中央処理装置（ＣＰＵ）から構成され、図示しないメモリ部から制御プログラムをロードすることにより機能実現手段として構成され、図示しないタイマーを備えている。
【００２７】
４１は駆動制御部２の制御部、４２は制御部４１によって制御される電源リレースイッチ（本発明の選択部）、４３はＡＣ１００Ｖ電源、４４はタイマーコントローラユニット１との間で制御データと符号化した検出データを送受信する無線シリアル送／受信部、４５は制御部４１を動作させるためのレギュレータである。無線シリアル送／受信部３４，４４は４００ＭＨｚ帯の極超短波で双方向通信を行う。制御部４１は中央処理装置（ＣＰＵ）から構成され、図示しないメモリ部から制御プログラムをロードすることにより機能実現手段として構成される。タイマーコントローラユニット１からの指令で制御部４１によって電源リレースイッチ４２が動作され、リレーＲａ１により電源が床下換気扇４ａに接続され、リレーＲａ２により電源が攪拌送風機４ｂ及びまたは拡散送風機４ｃに接続される。なお、攪拌送風機４ｂと拡散送風機４ｃを同時に運転させる場合はリレーの数を増す必要がある。
【００２８】
続いて、外気湿度と床下湿度の差で決定される運転モードの説明をする。まず、床下湿度が外気湿度より高く湿度差が所定の基準値以上の場合には、換気モードとして床下換気扇４ａと、攪拌送風機４ｂまたは拡散送風機４ｃの一方、あるいは床下換気扇４ａとこの双方の送風機を同時に駆動する。なお換気モードは床下換気扇４ａと各送風機との同時運転が基本であるが、別に従来通り床下換気扇４ａのみを駆動する第１弱換気モードを設けるのもよい。このとき、タイマーコントローラユニット１の制御部３１は床下換気扇４ａにだけ運転の指令を出す。また、送風機として攪拌送風機４ｂを選択した場合は、中央から空気を全体的に攪拌することができ、拡散送風機４ｃを選択した場合は床下空気を横断的に拡散することができる。攪拌送風機と拡散送風機の双方を選択したときは、全体的に大きく流動させることができる。このように送風機を選択することによって最も床下のよどみを解消できる流動にすることができる。またこの流動と併せて、通常北側に設置された床下換気扇４ａによって高湿度の床下空気が効率よく外部に排出される。なお、床下湿度センサ３ａで検出した床下湿度と、外気湿度センサ３ｂで検出した外部湿度との湿度差が大きい場合、回転数を高くした強換気モード、湿度差が低い場合は回転数を下げた第２弱換気モード、あるいは間欠運転の第３弱換気モードを設けることもできる。
【００２９】
ところで床下湿度が外気湿度より低く、その湿度差が基準値より小さい場合もしくは負の値の場合には、タイマーコントローラユニット１はよどみ防止モードとして攪拌送風機４ｂまたは拡散送風機４ｃのどちらか、もしくは攪拌送風機と拡散送風機の双方を駆動する。これは高湿度の外気の侵入を防ぎながら床下内部のみで内部攪拌の流動によるよどみ防止の換気を行うものである。
【００３０】
以上説明した換気システムが具体的にどのように運転されるか、図３に基づいて説明する。図３はタイマー設定時刻１０：００〜１５：００に設定したものである。タイマーコントローラユニット１によって設定時刻１０：００〜１５：００に自動的に運転が行われる。図３おいて、時間経過図ａは湿度の時間変化を示しており、実線が外気湿度であり、破線が床下湿度を示している。時間経過図ｂは外気湿度と床下湿度の湿度差０を基準値とした湿度差を示しており、また、上述の第１弱換気モードで示したような床下湿度と比較を行う基準湿度は従来通りに設定されてよいが、ここでは一例として基準湿度７５％を採用している。従って、この基準値を中心に上下が正負となっており、外気湿度から基準湿度７５％をみたときはこれが床下湿度より大きい方が正、小さい方が負である。時間経過図ｃはタイマー設定時刻、時間経過図ｄは床下換気扇４ａを運転するための出力Ａ、時間経過図ｅは攪拌送風機４ｂまたは拡散送風機４ｃのどちらか、もしくは攪拌送風機と拡散送風機の双方の送風機を運転するための出力Ｂである。
【００３１】
時間経過図ａによれば、設定時刻１０：００の時点で外気湿度が８０％，床下湿度が７５％であり、タイマー設定時刻が到来したとき湿度差は時間経過図ｂからも分かるように基準値を５％下回っている。このときタイマーコントローラユニット１の制御部３１はよどみ防止モードと判断し、駆動制御部２に攪拌送風機４ｂまたは拡散送風機４ｃのどちらか、もしくは攪拌送風機と拡散送風機の双方を運転するように指令する。これに伴い、駆動制御部２により時間経過図ｅに示すように出力Ｂが出力され、床下空気に対する攪拌もしくは拡散運転が行われる。
【００３２】
その後設定時刻１１：００の直前に外気湿度が７５％，床下湿度が７５％になり、湿度差は負から正に切り替わる。このとき両湿度は基準湿度の７５％で交差し、湿度差は０となる。その後、外気湿度の方が床下湿度、すなわち基準湿度より低いことになり、タイマーコントローラユニット１の制御部３１は換気モードと判断し、駆動制御部２に床下換気扇４ａを追加して運転するように指令する。このため時間経過図ｄに示すように出力Ａが出力され、床下換気扇４ａの運転が、攪拌送風機４ｂまたは拡散送風機４ｃのどちらか一方、もしくは攪拌送風機と拡散送風機の双方の運転に追加される。このとき、時間経過図ｄ，時間経過図ｅに示すように出力Ａ，出力Ｂの両方が出力され、床下換気扇４ａと、攪拌送風機４ｂまたは拡散送風機４ｃのどちらか一方、もしくは攪拌送風機と拡散送風機の双方が同時に換気のため運転される。
【００３３】
設定時刻１５：００の時点に、タイマーコントローラユニット１はタイマー設定時刻で動作終了の時刻が到来したと判断し、駆動制御部２に床下換気扇４ａと、攪拌送風機４ｂ及びまたは拡散送風機４ｃの運転を停止するよう指令する。
【００３４】
このようにタイマーコントローラユニット１が、タイマー設定時刻が到来したとき外気湿度と床下湿度の差を比較し、この湿度差が基準値より低いか負の場合には床下のよどみをなくすよどみ防止モードの運転を行い、この湿度差が基準値より高い場合は換気モードとして床下の空気を排気するので、高湿度の外気を取り込んだりせず、よどみを防止して湿度と温度を調整できるので、最適な湿度換気運転が行える。複数の換気モードを設ける場合には基準値を複数設定する必要がある。
【００３５】
【発明の効果】
本発明の換気システムによれば、内部湿度が外気湿度に比べて高い場合には換気モードの運転を行い、低い場合はよどみ防止モードの運転を行うことができ、高湿度の外気を取り込んだり運転停止するのでなく、換気対象域の湿度低減が行え、最適制御が可能となる。送風機が攪拌送風機または拡散送風機のいずれかから選択されるから、中央に置かれた攪拌送風機を選択した場合には、換気対象域内の空気を全方向に流動させることができ、よどみを残さず攪拌できる。開放部分のない周辺に置かれた拡散送風機を選択した場合には、開放部分のない周辺から内部空気を吐き出して拡散するため、換気対象域内に大きな流動を起こし、この開放部分のない周辺にも循環流が流れ込み、全体的によどみを解消できる。攪拌送風機と拡散送風機の双方を選択したときは、換気対象域内の空気を全体的に大きく流動させることができ、よどみを残さず攪拌できる。床下の換気口の位置、換気扇の配置、間切りの状況に応じて最もよどみを解消できる流動を選択することができる。
【００３６】
室内のシステム管理部と室外の駆動制御部を結ぶ専用通信回線が不要となり、設置工事が大幅に簡素化でき、室内のシステム管理部の設置場所に対する制約がなくなり、自由に設置できる。
【図面の簡単な説明】
【図１】
（ａ）本発明の実施の形態１における換気システムの側面図
（ｂ）（ａ）の床下換気システムの平面図
【図２】
本発明の実施の形態１における換気システムの制御構成図
【図３】
本発明の実施の形態１における換気システムの運転状態説明図
【図４】
（ａ）従来の床下換気システムの側面図
（ｂ）（ａ）の床下換気システムの平面図
【図５】
従来の床下換気扇の構成図
【符号の説明】
１  タイマーコントローラユニット
２  駆動制御部
３  センサユニット
３ａ  床下湿度センサ
３ｂ  外気湿度センサ
４，４ａ  床下換気扇
４ｂ  攪拌送風機
４ｃ  拡散送風機
５  通信ケーブル
６  電源コンセント
７  換気口
１１  本体ケーシング
１２  ファン
１３  モータ本体
１４  ロータ
１５  シャフト
１６  ベアリング
１７  プラスチック製軸受
１８  アース線
１９  電源用リード線
２０  ステータ
２１  コイル
２２  吸込口
２３  吹出口
３１，４１  制御部
３２  入力部
３３  表示部
３４，４４  無線シリアル送／受信部
３５，４５  レギュレータ
３６  バックアップ電池
４２  電源リレースイッチ
４３  ＡＣ１００Ｖ電源
【手続補正２】
【補正対象書類名】図面
【補正対象項目名】図３
【補正方法】変更
【補正の内容】
【図３】
2004077065.tif 000001